(57)【要約】【課題】少ない部品点数で蓋を開閉すること【解決手段】開閉ユニット１は、第１の軸１６と第２の軸１７を有する開閉部材１０と、開閉部材によって開閉される開口２１ａと、第１の軸と係合する第１のガイド溝２４と、第２の軸と係合する第２のガイド溝２５が形成される固定部材２０とを有し、開閉部材は、第２の軸を中心として回動することで、第１の軸が第１のガイド溝に沿って移動し、第１の軸を中心として回動することで、第２の軸が第２のガイド溝に沿って移動することによって開閉動作を行う。【選択図】図１
2012077528.tif 000002
【特許請求の範囲】
【請求項１】
第１の軸と第２の軸を有する開閉部材と、
前記開閉部材によって開閉される開口と、前記第１の軸と係合する第１のガイド溝と、前記第２の軸と係合する第２のガイド溝が形成される固定部材とを有し、
前記開閉部材は、前記第２の軸を中心として回動することで、前記第１の軸が前記第１のガイド溝に沿って移動し、前記第１の軸を中心として回動することで、前記第２の軸が前記第２のガイド溝に沿って移動することを特徴する開閉ユニット。
【請求項２】
前記開閉部材が前記第２の軸を中心として回動する際には、前記第１の軸が前記第１のガイド溝に沿って移動することでチャージされ、前記開閉部材が前記第１の軸を中心として回動する際には、前記第２の軸が前記第２のガイド溝に沿って移動することでチャージされる付勢部材を更に有することを特徴する請求項１に記載の開閉ユニット。
【請求項３】
前記付勢部材は、第１の腕部が前記第１の軸に当接し、第２の腕部が前記第２の軸に当接するように、前記固定部材に配置されるねじりコイルばねであることを特徴とする請求項２に記載の開閉ユニット。
【請求項４】
前記固定部材は、前記第１のガイド溝または前記第２のガイド溝の開口端部を広げるとともに広げた開口端部を元に戻すように弾性変形する変形部を更に有することを特徴する請求項１ないし３のうちいずれか１項に記載の開閉ユニット。
【請求項５】
請求項１ないし４のいずれか一項に記載の開閉ユニットを有することを特徴とする電子機器。
【発明の詳細な説明】
【技術分野】
【０００１】
本発明は、開閉ユニットおよびそれを有する電子機器に関する。
【背景技術】
【０００２】
電子機器の端子部、入出力部、媒体挿入口を覆う蓋の開閉ユニットは、電子機器の小型化とともに部品点数の削減や小型の構造が求められている。この点、特許文献１は、一対の支柱間に扉体を設けて両者を連結部材と支持アームで連結し、扉体を垂直方向から水平方向に開く昇降扉を提案している。
【先行技術文献】
【特許文献】
【０００３】
【特許文献１】特開平７−６２９６２号公報
【発明の概要】
【発明が解決しようとする課題】
【０００４】
しかしながら、特許文献１はガレージや門の昇降扉に関するため、そもそも大型であると共に、特許文献１の開閉機構は支持アームを必要とするため、電子機器の蓋開閉ユニットとしては部品点数も多い。
【０００５】
そこで、本発明は、少ない部品点数で蓋を開閉する開閉ユニットとそれを有する電子機器を提供することを例示的な目的とする。
【課題を解決するための手段】
【０００６】
本発明の開閉ユニットは、第１の軸と第２の軸を有する開閉部材と、前記開閉部材によって開閉される開口と、前記第１の軸と係合する第１のガイド溝と、前記第２の軸と係合する第２のガイド溝が形成される固定部材とを有し、前記開閉部材は、前記第２の軸を中心として回動することで、前記第１の軸が前記第１のガイド溝に沿って移動し、前記第１の軸を中心として回動することで、前記第２の軸が前記第２のガイド溝に沿って移動することによって回転することを特徴する。
【発明の効果】
【０００７】
本発明によれば、少ない部品点数で蓋を開閉する開閉ユニットとそれを有する電子機器を提供することができる。
【図面の簡単な説明】
【０００８】
【図１】本実施例の開閉ユニットの分解斜視図である。
【図２】図１に示す開閉ユニットの上面図である。
【図３】図１に示す開閉ユニットの斜視図である。
【図４】図３に示す開閉ユニットの上面図である。
【発明を実施するための形態】
【０００９】
図１は、本実施例の開閉ユニット１の分解斜視図である。開閉ユニット１は、デジタルカメラ、コンピュータ、ゲーム機、ＰＤＡなどの不図示の電子機器の筺体の一部に使用され、電子機器の端子部、入出力部、媒体挿入口などを覆う蓋を開閉させる。開閉ユニット１は、開閉部材１０と、固定部材２０と、付勢部材３０と、を有する。
【００１０】
開閉部材１０は、不図示の電子機器の端子部、入出力部、媒体挿入口などを開閉する前面部としての蓋部１１と、蓋部１１の上下端に結合した一対のガイド部１５と、を有し、固定部材２０に対して回転移動可能に固定部材２０に取り付けられている。
【００１１】
図１において、蓋部１１の左端の中央部にはユーザが開閉部材１０を開閉する力を加える指が置かれる指係り部１２が形成されている。なお、開閉ユニット１は蓋部１１が手動で開閉するものに限定されず、モータなどの開閉手段を利用して自動で開閉する場合にも適用可能である。
【００１２】
蓋部１１の前面の中央には表示部１３が形成されている。表示部１３は、蓋部１１の移動方向、状態、背部にある電子部品の情報、その他の情報を表示することができるが、表示部１３を設けるかどうかは選択的である。
【００１３】
図１において、蓋部１１の右端面は曲面１４に加工され、開閉動作を円滑にしている。なお、開閉部材１０の回転方向が逆になれば指係り部１２と曲面１４の位置関係は逆になる。
【００１４】
各ガイド部１５は、ほぼ三角形形状の薄板構造を有し、この三角形の一辺において各ガイド部１５は蓋部１１の上下端に結合して蓋部１１の前面に対して垂直に延びている。一対のガイド部１５は平行に延びている。各ガイド部１５は、蓋部１１の回転を案内し、第１の軸１６と第２の軸１７を前記三角形の他の辺（にある２つの頂点）に有する。
【００１５】
第１の軸１６と第２の軸１７は各ガイド部１５に固定されて、各ガイド部１５の表面から外側に各ガイド部１５の表面に垂直に延びている。各ガイド部１５において、第１の軸１６と第２の軸１７は平行であり、本実施例では同じ長さであるが、両者の長さは異なってもよい。
【００１６】
第１の軸１６と第２の軸１７の２軸に案内されて蓋部１１は回転移動される。２軸によって蓋部１１が開閉する際に必要とするデッドスペースは１軸によって蓋部が開閉する際に必要とするデッドスペースよりも小さいため、開閉ユニットおよび電子機器の小型化に資する。
【００１７】
固定部材２０は、不図示の電子機器の筺体の一部もしくは筺体に固定される。固定部材２０は、前面部２１と、前面部２１の上下端に結合した一対のガイド部２３を有する。
【００１８】
前面部２１は、長方形形状の薄板構造を有し、中央に不図示の電子機器の端子部、入出力部、媒体挿入口などを露出する長方形形状の開口２１ａを有する。開口２１ａは、開閉部材１０の蓋部１１によって開閉され、開閉部材１０によって内部の電子機器の端子部などは防塵が維持されると共に外部衝撃から保護される。
【００１９】
また、図１に示す開口２１の左側中央に閉口状態にある蓋部１１の指係り部１２へのユーザの指係りを助けるための窪み２２ａが形成されている。同様に、図１に示す開口２１の右側中央に開口状態にある蓋部１１の指係り部１２へのユーザの指係りを助けるための窪み２２ｂが形成されている。
【００２０】
各ガイド部２３は、ほぼ四角形形状の薄板構造を有し、この四角形の一辺において各ガイド部２３は前面部２１の上下端に結合して前面部２１の前面に対して垂直に延びている。一対のガイド部２３は平行に延びている。
【００２１】
各ガイド部２３は、第１のガイド溝２４、第２のガイド溝２５、係合部２６、変形部２７を有する。
【００２２】
第１のガイド溝２４には、開閉部材１０の第１の軸１６が係合し、前面部２１の前面に対してほぼ垂直に延びている。第２のガイド溝２５には、開閉部材１０の第２の軸１７が係合し、前面部２１の前面に対して斜めに（後述する図２に示すように第１のガイド溝２４に対して約４５°の角度で延びている。第２のガイド溝２５は第１のガイド溝２４とは異なる位置に形成されて異なる方向に延びる。
【００２３】
上述したように、第１の軸１６と第２の軸１７が並ぶ方向は蓋部１１の前面に対して傾いている。第１の軸１６と第２の軸１７を蓋部１１の前面に沿って配置した場合、蓋部１１が９０度回転すれば第１の軸１６と第２の軸１７もそれに合わせて９０度回転する。このため、固定部材２０は回転後の第１の軸１６と第２の軸１７の間の距離分の長さを前面部２１の前面に垂直な方向に確保しなければならずガイド部２３ひいては固定部材２０が大型になる。本実施例のように第１の軸１６と第２の軸１７が並ぶ方向を蓋部１１の前面に対して傾けると、ガイド部２３の前面部２１の前面に対して垂直な方向の長さを短くすることができるので固定部材２０の小型化につながる。
【００２４】
第１のガイド溝２４の端部２４ａは、閉口状態のときの開閉部材１０が付勢部材３０により付勢される方向に所定量以上移動するのを防ぐための閉口ストッパーとして機能する。同様に、第２のガイド溝２５の端部２５ａは、開口状態のときの開閉部材１０が付勢部材３０により付勢される方向に所定量以上移動するのを防ぐための開口ストッパーとして機能する。
【００２５】
係合部２６は、付勢部材３０であるねじりコイルバネのコイル部３１に挿入され、付勢部材３０を回転自在に案内する円筒形状の突起であるが、その形状は限定されない。係合部２６は、付勢部材３０と係合する限り、ガイド部２３の内面に設けられてもよいし外面に設けられてもよい。なお、係合部２６は、上側のガイド部２３にのみ設けられていてもよいし、各ガイド部２３に設けられていてもよい。
【００２６】
変形部２７は、第２のガイド溝２５の開口端部の片側に溝２７ａを介して形成され、溝２７ａ側に多少弾性変形可能に固定部材２０に設けられている。変形部２７は、後述するように、開閉部材１０を固定部材２０に取り付ける際には弾性変形して第２のガイド溝２５の開口端部を広げて第２の軸１７が第２のガイド溝２５に挿入され易くする機能を有する。また、変形部２７は、第２の軸１７が第２のガイド溝２５に挿入された後は、弾性変形して、広げた第２のガイド溝２５の開口端部を元に戻して第２の軸１７が第２のガイド溝２５から離脱しないように留める機能を有する。
【００２７】
別の実施例では、変形部は、第１のガイド溝２４の開口端部の片側に溝を介して形成され、溝側に多少弾性変形可能に固定部材２０に設けられている。この場合には、変形部は、開閉部材１０を固定部材２０に取り付ける際には弾性変形して第１のガイド溝２４の開口端部を広げて第１の軸１６が第１のガイド溝２４に挿入され易くする機能を有する。また、変形部は、第１の軸１６が第１のガイド溝２４に挿入された後は、弾性変形して、広げた第１のガイド溝２４の開口端部を元に戻して第１の軸１６が第１のガイド溝２４から離脱しないように留める機能を有する。
【００２８】
付勢部材３０は、ねじりコイルバネであり、第１の腕部３２が第１の軸１６に当接し、第２の腕部３３が第２の軸１７に当接し、コイル部３１が係合部２６に係合し、係合部２６を中心にして回動自在に構成されている。
【００２９】
付勢部材３０の第１の腕部３２と第２の腕部３３の間の開き角度θ０は、ねじりコイルバネの自然状態の開き角度であり、開き角度θ０が大きいほど、付勢部材３０による付勢力も大きくなる。
【００３０】
上述したように、付勢部材３０はガイド部２３の一方に設けられてもよいし両方に設けられてもよい。また、付勢部材３０はねじりコイルバネに限定されず、他の付勢手段を利用してもよい。
【００３１】
付勢部材３０は、開閉部材１０が固定部材２０に対して所定角度回転するまでは、開閉部材１０が回転している方向とは反対方向に開閉部材１０に付勢力を加える。また、付勢部材３０は、開閉部材１０が固定部材２０に対して所定角度以上回転すると開閉部材１０が回転している方向に付勢力を加える。
【００３２】
図２は、開閉部材１０の固定部材２０への取り付けを説明する上面図である。固定部材２０に対する開閉部材１０の取り付けは、図２中に示す矢印方向に第１の軸１６を第１のガイド溝２４に沿って第２の軸１７を第２のガイド溝２５に沿って移動することによって行う。開閉部材１０の取り付け時は、変形部２７が溝２７ａの側に変形し、取り付け後に元の形状に戻って開閉部材１０が固定部材２０から脱落することを防止する。
【００３３】
図３は、開閉部材１０が閉口状態から開口していく様子を順次示した斜視図であり、図４は、開閉部材１０が閉口状態から開口していく様子を順次示した上面図であり、図３と図４において状態（Ａ）〜（Ｅ）はそれぞれ同一の状態を示している。
【００３４】
状態（Ａ）は、開閉部材１０の閉口状態である。この状態から、ユーザは、指係り部１３に指を引っ掛け、これに力を加えて開閉部材１０を開口させる。閉口状態における付勢部材３０の開き角度θＡは、開き角度θＢよりも小さく開き角度が自然状態である開き角度θ０に近いため、状態（Ａ）の方が状態（Ｂ）よりも安定している。また、開閉部材１０には、端部２４ａに押し付けられる方向に付勢部材３０の付勢力が働いているため、閉口状態を維持することができる。
【００３５】
状態（Ｂ）は、ユーザが開閉部材１０を開口させ始めている状態である。この状態では、開閉部材１０が第２の軸１７を中心として回動することで、第１の軸１６が第１のガイド溝２４に沿って移動する。また、開閉部材１０が第２の軸１７を中心として回動する際に、第１の軸１６が第１のガイド溝２４に沿って移動することで、付勢部材３０はチャージされる。付勢部材３０の開き角度θＢは、開き角度θＡよりも大きいため、開閉部材１０には閉口状態に近づく付勢力が働く。即ち、状態（Ｂ）においてユーザが力を解除すれば状態（Ａ）に戻る。
【００３６】
状態（Ｃ）では、開閉部材１０が第２の軸１７を中心として回動し、第１の軸１６が第１のガイド溝２４に沿って移動する動作を終了する。このとき、付勢部材３０の開き角度θＣが開閉動作中で最大となる。開閉部材１０が、状態（Ｃ）よりも閉口状態に近い状態であれば、閉口状態に近づく付勢力が働き、開口状態に近ければ、開口状態に近づく付勢力が働く。つまり、状態（Ｃ）では、開閉部材１０に対する付勢部材３０の付勢力の作用が反転する。
【００３７】
状態（Ｄ）は、開閉部材１０が第１の軸１６を中心として回動することで、第２の軸１７は第２のガイド溝２５に沿って移動する。そして、開閉部材１０が第１の軸１６を中心として回動する際には、第２の軸１７が第２のガイド溝２５に沿って移動することで、付勢部材３０はチャージされる。付勢部材３０の開き角度θＤは開き角度θＥよりも大きいため、開閉部材１０には、開口状態に近づく付勢力が働く。
【００３８】
状態（Ｅ）は、開閉部材１０が第１の軸１６を中心として回動し、第２の軸１７が第２のガイド溝２５に沿って移動する動作を終了する。このとき、開閉部材１０の開口状態であり、付勢部材３０の開き角度θＥは開き角度θＤよりも小さく、開き角度が自然状態である開き角度θ０に近いため、状態（Ｅ）は状態（Ｄ）よりも安定している。開閉部材１０には、端部２５ａに押し付けられる方向に付勢部材３０の付勢力が働いているため、開口状態を維持することができる。
【００３９】
本実施例では、開閉部材１０の第１の軸１６と第２の軸１７を固定部材２０の第１のガイド溝２４と第２のガイド溝２５でそれぞれ案内しており、支持アームは不要であるので部品点数は少なくなっている。また、本実施例では、固定部材２０に係合された小型のねじりコイルバネによって開閉部材１０を開口状態または閉口状態に付勢しているので開閉ユニット１は小型になっている。
【００４０】
更に、第１の軸１６と第２の軸１７は、各ガイド部１５が蓋部１１と結合している三角形の辺とは異なる辺に設けられており、第１の軸１６と第２の軸１７が並ぶ方向は蓋部１１の前面に対して傾いている。このため、ガイド部２３の前面部２１の前面に対して垂直な方向の長さを短くすることができるので固定部材２０の小型化をはかることができる。
【００４１】
以上、本発明の好ましい実施例について説明したが、本発明はこれらの実施例に限定されず、その要旨の範囲内で種々の変形及び変更が可能である。
【産業上の利用可能性】
【００４２】
開閉ユニットは電子機器に適用することができる。
【符号の説明】
【００４３】
１                    開閉ユニット
１０                  開閉部材
１６                  第１の軸
１７                  第２の軸
２０                  固定部材
２１ａ                開口
２４                  第１のガイド溝
２５                  第２のガイド溝
２７                  変形部
３０                  付勢部材
【図４】
2012077528.tif 000003
【図１】
2012077528.tif 000004
【図２】
2012077528.tif 000005
【図３】
2012077528.tif 000006